(57)【要約】【課題】複雑な機構を設けることなく、環境温度の変化を起因とする樹脂レンズの焦点距離の変化に対応して、樹脂レンズと撮像素子との距離を変化させ、画像の劣化を回避する。【解決手段】第１の線膨張係数の材質で形成されたレンズユニット１２０の像側には、レンズ群１１０の光軸１１１に対して垂直な方向に延びる取付基準面１２０ａが形成されている。さらに、取付基準面１２０ａから光軸１１１に対して平行に像側に向けて突出するボス部１２３が複数設けられている。第２の線膨張係数の材質で形成された撮像素子保持枠１３０には、光軸１１１に対して平行に延びる延設部１３１が設けられている。延設部１３１の側面に設けられた取付固定子１３２をレンズユニット１２０のボス部１２３に像側から外嵌し、さらに皿ばね１４０を介してねじ部材１５０をボス部１２３の雌ねじ１２３ａに螺合する。【選択図】図１
2012118404.tif 000002
【特許請求の範囲】
【請求項１】
少なくとも１枚の樹脂レンズを含んで構成されたレンズ群と、
第１の線膨張係数の材質で形成された、前記レンズ群を保持するレンズユニットと、
前記第１の線膨張係数より大きい第２の線膨張係数の材質で形成された、撮像素子を保持する撮像素子保持枠と、
を備え、
前記レンズユニットの像側には、前記レンズ群の光軸に対して垂直に延びる方向に前記撮像素子保持枠を取り付ける際の基準となる取付基準面が形成され、さらに前記光軸に対して平行に前記取付基準面から像側へ突出するようにボス部が設けられ、
前記撮像素子保持枠には、前記光軸に対して平行に延びる延設部が設けられ、さらに前記延設部の側面には前記光軸に対して平行に像側から前記ボス部を外嵌して前記撮像素子保持枠を前記レンズユニットに取り付けるためのスリーブ形状の取付固定子が設けられ、
前記取付固定子を前記ボス部に外嵌し、さらに付勢部材を介してねじ部材を前記ボス部に螺合することで、前記撮像素子保持枠の物体側端部が前記取付基準面に当接するように付勢され、
環境温度の変化により前記取付基準面を基準として前記延設部が前記光軸に平行な方向に伸縮することを特徴とするレンズ鏡筒。
【請求項２】
以下に示す条件式を満足することを特徴とする請求項１に記載のレンズ鏡筒。
（α２−α１）×ΔＴ×Ｌ＝Δｆ
ただし、α１は前記レンズユニットを形成する材質の線膨張係数、α２は前記撮像素子保持枠を形成する材質の線膨張係数、ΔＴは環境温度の変化量、Ｌは前記撮像素子保持枠の延設部における前記光軸に平行な方向の長さ、Δｆは環境温度の変化量ΔＴにおける前記レンズ群の焦点距離の変化量を示す。
【請求項３】
前記延設部は、撮像素子の４つの側面を囲む中空の直方体形状を有しており、前記撮像素子を取り付けた基板を前記延設部の像側端部に取り付けることで、前記撮像素子を遮蔽することを特徴とする請求項１または２に記載のレンズ鏡筒。
【請求項４】
前記ボス部の近傍に、前記光軸に対して平行に前記取付基準面から像側へ突出するように先端に開口部を有する凸部が形成され、
前記取付固定子の像側端部から前記延設部の側面に沿って前記光軸に対して垂直な方向に延びるフランジが形成され、さらに前記フランジの物体側面には前記光軸に対して平行に物体側に突出する突起部が設けられ、
前記開口部に前記突起部を嵌合させることにより、前記撮像素子保持枠の前記光軸に対して垂直な方向の位置決めを行うことを特徴とする請求項１〜３のいずれか一つに記載のレンズ鏡筒。
【請求項５】
前記凸部の高さは前記ボス部の高さよりも低く、前記突起部の高さは前記取付固定子の高さよりも低くなっており、
前記開口部に前記突起部を嵌合させた状態で、前記凸部の先端と前記フランジの物体側面との間には隙間が生じ、前記延設部の前記光軸に平行な方向への伸縮を妨げないことを特徴とする請求項４に記載のレンズ鏡筒。
【請求項６】
請求項１〜５のいずれか一つに記載のレンズ鏡筒を備えた撮像装置。
【発明の詳細な説明】
【技術分野】
【０００１】
この発明は、環境温度の変化を起因とする樹脂レンズの焦点距離の変化によって生じる画像の劣化を回避するレンズ鏡筒、およびこのレンズ鏡筒を備えた撮像装置に関する。
【背景技術】
【０００２】
撮像素子が搭載された撮像装置では、一般に撮像素子はレンズ鏡筒に直接または基板を介して取り付けられているため、レンズと撮像素子との位置関係は不変である。近年、加工が容易であることからコストダウンに優れ、また軽量であるため、樹脂レンズが撮像装置に多用されるようになってきている。この、樹脂レンズは、ガラスレンズに比べ、環境温度の変化による影響を受け易い。すなわち、樹脂レンズは、環境温度の変化により屈折率が変化し、焦点距離が変化するという性質をもっている。たとえ、レンズ単体の焦点距離の変化量は僅かであっても、撮像装置は通常複数枚のレンズで構成されたレンズ群を備えていることから、環境温度の変化によりレンズ群を構成する屈折率が変化すると、当該レンズ群を構成する各レンズ群全体の焦点距離の変化量は無視できないものとなる。レンズの焦点距離の変化は画像の劣化をまねく原因となるため、樹脂レンズが搭載された撮像装置の使用温度範囲を広く確保することは困難であった。
【０００３】
かかる問題を解決するためには、環境温度の変化によるレンズの焦点距離の変化に対応してレンズと撮像素子との距離を変化させればよい。しかし、レンズ鏡筒にカムなどの機構を設けてレンズと撮像素子との距離を変化させることは、レンズ鏡筒の機構が複雑化し製造コストの増加をまねくだけでなく、レンズ鏡筒の重量化も進むため、好ましくない。レンズ鏡筒に複雑な機構を追加することなく、レンズと撮像素子との距離を変化させる技術を採用することが理想的であるが、現在、レンズ鏡筒においてかかる技術を採用したものはない。なお、レンズ鏡筒ではなく、投射型表示装置においてレンズの焦点距離の変化を起因とする像のボケを回避するための技術が提案されている（たとえば、特許文献１を参照。）。
【先行技術文献】
【特許文献】
【０００４】
【特許文献１】特開２００５−５５８０１号公報
【発明の概要】
【発明が解決しようとする課題】
【０００５】
特許文献１に記載の技術は、所定の熱膨張係数を有する材質で形成された補正部材を用いて、環境温度の変化により投射レンズのバックフォーカス値が変化しても、その変化に応じて投射レンズのバックフォーカス位置付近にライトバルブが配置されるようにして投射像のボケを回避する投射型表示装置である。このように、特許文献１に開示された技術は、投射型表示装置に限って樹脂レンズの焦点距離の変化を起因とする像のボケを回避するものである。したがって、この技術では、デジタルカメラなどの撮像装置に搭載されるレンズ鏡筒において、環境温度の変化による樹脂レンズの焦点距離の変化に対応して、レンズと撮像素子との距離を変化させることはできず、画質の劣化を回避することができなかった。
【０００６】
この発明は、上述した従来技術による問題点を解消するため、複雑な機構を設けることなく、環境温度の変化を起因とする樹脂レンズの焦点距離の変化に対応して、樹脂レンズと撮像素子との距離を変化させ、画像の劣化を回避することができるレンズ鏡筒を提供することを目的とする。また、かかるレンズ鏡筒を備えた撮像装置を提供することもこの発明の目的である。
【課題を解決するための手段】
【０００７】
上述した課題を解決し、目的を達成するため、この発明にかかるレンズ鏡筒は、少なくとも１枚の樹脂レンズを含んで構成されたレンズ群と、第１の線膨張係数の材質で形成された、前記レンズ群を保持するレンズユニットと、前記第１の線膨張係数より大きい第２の線膨張係数の材質で形成された、撮像素子を保持する撮像素子保持枠と、を備え、前記レンズユニットの像側には、前記レンズ群の光軸に対して垂直に延びる方向に前記撮像素子保持枠を取り付ける際の基準となる取付基準面が形成され、さらに前記光軸に対して平行に前記取付基準面から像側へ突出するようにボス部が設けられ、前記撮像素子保持枠には、前記光軸に対して平行に延びる延設部が設けられ、さらに前記延設部の側面には前記光軸に対して平行に像側から前記ボス部を外嵌して前記撮像素子保持枠を前記レンズユニットに取り付けるためのスリーブ形状の取付固定子が設けられ、前記取付固定子を前記ボス部に外嵌し、さらに付勢部材を介してねじ部材を前記ボス部に螺合することで、前記撮像素子保持枠の物体側端部が前記取付基準面に当接するように付勢され、環境温度の変化により前記取付基準面を基準として前記延設部が前記光軸に平行な方向に伸縮することを特徴とする。
【０００８】
また、この発明にかかるレンズ鏡筒は、以下に示す条件式を満足することを特徴とする。
（α２−α１）×ΔＴ×Ｌ＝Δｆ
ただし、α１は前記レンズユニットを形成する材質の線膨張係数、α２は前記撮像素子保持枠を形成する材質の線膨張係数、ΔＴは環境温度の変化量、Ｌは前記撮像素子保持枠の延設部における前記光軸に平行な方向の長さ、Δｆは環境温度の変化量ΔＴにおける前記レンズ群の焦点距離の変化量を示す。
【０００９】
また、この発明にかかるレンズ鏡筒は、前記延設部が、撮像素子の４つの側面を囲む中空の直方体形状を有しており、前記撮像素子を取り付けた基板を前記延設部の像側端部に取り付けることで、前記撮像素子を遮蔽することを特徴とする。
【００１０】
また、この発明にかかるレンズ鏡筒は、前記ボス部の近傍に、前記光軸に対して平行に前記取付基準面から像側へ突出するように先端に開口部を有する凸部が形成され、前記取付固定子の像側端部から前記延設部の側面に沿って前記光軸に対して垂直な方向に延びるフランジが形成され、さらに前記フランジの物体側面には前記光軸に対して平行に物体側に突出する突起部が設けられ、前記開口部に前記突起部を嵌合させることにより、前記撮像素子保持枠の前記光軸に対して垂直な方向の位置決めを行うことを特徴とする。
【００１１】
また、この発明にかかるレンズ鏡筒は、前記凸部の高さが前記ボス部の高さよりも低く、前記突起部の高さが前記取付固定子の高さよりも低くなっており、前記開口部に前記突起部を嵌合させた状態で、前記凸部の先端と前記フランジの物体側面との間には隙間が生じ、前記延設部の前記光軸に平行な方向への伸縮を妨げないことを特徴とする。
【００１２】
また、この発明にかかる撮像装置は、前記レンズ鏡筒を備えていることを特徴とする。
【発明の効果】
【００１３】
この発明によれば、複雑な機構を設けることなく、環境温度の変化を起因とする樹脂レンズの焦点距離の変化に対応して、樹脂レンズと撮像素子との距離を変化させ、画像の劣化を回避することが可能なレンズ鏡筒を提供することができるという効果を奏する。また、かかるレンズ鏡筒を備えた撮像装置を提供することができる。
【図面の簡単な説明】
【００１４】
【図１】この発明の実施の形態にかかるレンズ鏡筒の構成を示す光軸に沿う断面図である。
【図２】撮像素子１６０を基板１７０に取り付けた状態を示す斜視図である。
【図３−１】レンズ鏡筒１００の組立手順を説明するための図である。
【図３−２】レンズ鏡筒１００の組立手順を説明するための図である。
【図４】撮像素子保持枠１３０の外観図である。
【図５】図４のＢ−Ｂ線に沿う断面図である。
【図６】図４のＣ−Ｃ線に沿う断面図である。
【図７】図１に示すＡ部の拡大図である。
【図８】環境温度の変化によるレンズ群１１０の焦点距離の変化を説明するための図である。
【発明を実施するための形態】
【００１５】
以下、添付図面を参照して、この発明の好適な実施の形態を詳細に説明する。なお、以下の実施の形態によりこの発明が限定されるものではない。
【００１６】
図１は、この発明の実施の形態にかかるレンズ鏡筒の構成を示す光軸に沿う断面図である。なお、図１は、後述する図４のＤ−Ｄ線に沿う断面を示している。この実施の形態にかかるレンズ鏡筒１００は、レンズ群１１０と、第１の線膨張係数の材質で形成されたレンズユニット１２０と、第２の線膨張係数の材質で形成された撮像素子保持枠１３０と、を備えている。なお、第１の線膨張係数よりも第２の線膨張係数のほうが大きい値である。
【００１７】
レンズ群１１０は、少なくとも１枚の複数の樹脂レンズを含んで構成されている。レンズユニット１２０は、円筒状に構成されており、その内部に物体（不図示）側から像側へ向けてレンズ群１１０を保持するレンズ枠１２１が設けられている。また、レンズユニット１２０の像側には、レンズ群１１０の光軸１１１に対して垂直な方向に延びる、撮像素子保持枠１３０を取り付けるための取付基準面１２０ａが形成されている。さらに、取付基準面１２０ａから光軸１１１に対して平行に像側に向けて突出するボス部１２３が複数（３箇所以上）設けられている。ボス部１２３はスリーブ形状になっており、スリーブ内部には雌ねじ１２３ａが形成されている。
【００１８】
撮像素子保持枠１３０には、光軸１１１に対して平行に延びる延設部１３１が設けられている。延設部１３１の側面には光軸１１１に対して平行に延びるスリーブ形状の取付固定子１３２が複数（ボス部１２３と同数）設けられている。取付固定子１３２は、ボス部１２３を像側から外嵌して撮像素子保持枠１３０をレンズユニット１２０に取り付けるためのものである。また、延設部１３１内部の対角位置には後述する基板を取り付けるための雌ねじ１３１ａが形成されている。ボス部１２３は取付固定子１３２に外嵌され、さらに皿ばね１４０を介してねじ部材１５０で螺合されている。また、撮像素子１６０は基板１７０に取り付けられている。そして、基板１７０は、その対角位置にそれぞれ形成されたねじ穴１７０ａを介してねじ部材１５０で延設部１３１に取り付けられている。
【００１９】
次に、この実施の形態にかかるレンズ鏡筒の組立手順について詳細に説明する。図２は、撮像素子１６０を基板１７０に取り付けた状態を示す斜視図である。また、図３−１、図３−２は、レンズ鏡筒１００の組立手順を説明するための図である。なお、図３−１、図３−２ともにレンズ鏡筒１００を像側から物体側に見た図であるが、図３−１は、図１に示した光軸１１１より上側から見た状態を示し、図３−２は光軸１１１より下側から見た状態を示している。また、レンズユニット１２０の取付基準面１２０ａより物体側の部材は省略されている。
【００２０】
まず、図２に示すように、撮像素子１６０は、基板１７０の中央部に取り付けられる。基板１７０の対角位置にはそれぞれねじ穴１７０ａが形成されている。次に、図３−１、図３−２に示すように、レンズユニット１２０の取付基準面１２０ａには、光軸１１１に対して平行に像側に向けて突出する３つのボス部１２３が設けられている。ボス部１２３はスリーブ形状になっており、スリーブ内部には雌ねじ１２３ａが形成されている。また、２つのボス部１２３の近傍に、撮像素子保持枠１３０の光軸１１１に対して垂直な方向の位置決めをするための凸部１２４が形成されている。凸部１２４の高さは、ボス部１２３の高さよりも低くなっている。凸部１２４の先端には開口部１２４ａが形成されている。
【００２１】
また、撮像素子保持枠１３０には、光軸１１１に対して平行に延びる延設部１３１が設けられている。この延設部１３１は、撮像素子１６０の４つの側面を囲むように設けられ、中空の直方体形状を有している。延設部１３１の側面には光軸１１１に対して平行に延びるスリーブ形状の取付固定子１３２が３箇所に設けられている。また、２つの取付固定子１３２の像側端部から延設部１３１の側面に沿って光軸１１１に対して垂直な方向にフランジ１３３が形成されている。そして、フランジ１３３の物体側面には、光軸１１１に対して平行に物体側に突出する突起部１３３ａが設けられている。なお、突起部１３３ａの高さは、取付固定子１３２の高さよりも低くなっている。また、延設部１３１の内側の対角位置にはそれぞれ基板１７０を取り付けるための雌ねじ１３１ａが形成されている。
【００２２】
レンズ鏡筒１００を組み立てる際、まず、レンズ群１１０が収容されたレンズユニット１２０のボス部１２３に撮像素子保持枠１３０の取付固定子１３２を像側から外嵌する。このとき、フランジ１３３に設けられた突起部１３３ａも、取付基準面１２０ａに設けられた凸部１２４の開口部１２４ａに嵌合される。前述のように、凸部１２４の高さがボス部１２３の高さよりも低くなっており、また突起部１３３ａの高さが取付固定子１３２の高さよりも低くなっているため、突起部１３３ａが開口部１２４ａに嵌合された際に、フランジ１３３の物体側面と凸部１２４の先端との間に隙間が生じる。さらに、皿ばね１４０を介してねじ部材１５０をボス部１２３の雌ねじ１２３ａに螺合することによって、撮像素子保持枠１３０をレンズユニット１２０に取り付ける。
【００２３】
このように、皿ばね１４０を用いたことにより、撮像素子保持枠１３０の物体側端部は、取付基準面１２０ａに対して常時付勢された状態になる。最後に、基板１７０の対角位置に形成されたねじ穴１７０ａを介してねじ部材１５０を延設部１３１の雌ねじ１３１ａに螺合することによって、基板１７０を撮像素子保持枠１３０に取り付ける。このようにすることによって、撮像素子１６０は遮蔽され、塵や埃の付着を防止することができる。
【００２４】
図４は、撮像素子保持枠１３０の外観図である。同図において、（ａ）は撮像素子保持枠１３０の背面図、（ｂ）は撮像素子保持枠１３０の上面図、（ｃ）は撮像素子保持枠１３０の底面図である。図５は、図４のＢ−Ｂ線に沿う断面図である。また、図６は、図４のＣ−Ｃ線に沿う断面図である。
【００２５】
図５、図６に示すように、取付基準面１２０ａに突設されたボス部１２３に撮像素子保持枠１３０の取付固定子１３２を像側から外嵌し、さらに皿ばね１４０を介してねじ部材１５０をボス部１２３の雌ねじ１２３ａに螺合することによって、撮像素子保持枠１３０にレンズユニット１２０が取り付けられている。このため、皿ばね１４０により撮像素子保持枠１３０の物体側端部は取付基準面１２０ａに常時付勢されることになる。
【００２６】
したがって、環境温度の変化により撮像素子保持枠１３０が伸縮する場合、撮像素子保持枠１３０は、取付基準面１２０ａを基準に光軸１１１に平行な方向に伸縮することになり、レンズユニット１２０と撮像素子保持枠１３０との間に隙間が生じるようなことはない。また、皿ばね１４０を用いたことにより、皿ばね１４０がボス部１２３と取付固定子１３２との間の緩衝材としての役割も果たすため、環境温度の上昇によるレンズユニット１２０および撮像素子保持枠１３０の光軸１１１に平行な方向への伸張を阻害することはない。さらに、フランジ１３３に設けられた突起部１３３ａが取付基準面１２０ａに設けられた凸部１２４の開口部１２４ａに嵌合された際、フランジ１３３の物体側面と凸部１２４の先端とが接触せず、あそびが生じている。したがって、レンズユニット１２０および撮像素子保持枠１３０の光軸１１１に平行な方向（スラスト方向）への伸縮に影響することはない。凸部１２４および突起部１３３ａは、撮像素子保持枠１３０の光軸１１１に対して垂直な方向（ラジカル方向）へのずれを防ぐためのものである。
【００２７】
以上説明したように、この実施の形態にかかるレンズ鏡筒１００は、環境温度の変化を起因としてレンズ群１１０の屈折率が変化することにより焦点距離に変動が生じても、レンズ群１１０を保持するレンズユニット１２０に対して撮像素子１６０を保持する撮像素子保持枠１３０を大きく伸縮させることで、レンズ群１１０と撮像素子１６０との距離をレンズ群１１０の焦点距離の変化に合わせることができ、画像の劣化を回避することができる。
【００２８】
ここで、一般に、レンズユニット１２０には線膨張係数が１０×１０-6 〜２０×１０-6程度の材質が用いられる。また、撮像素子保持枠１３０には線膨張係数が６０×１０-6程度の材質が用いられる。そして、一般に想定される使用環境の温度範囲は−２０℃〜＋６０℃である。
【００２９】
図７は、図１に示すＡ部の拡大図である。図７に示すように、一般に設計値とされるレンズユニット１２０の延設部１３１における光軸１１１に平行な方向の長さ（Ｌ）は、６ｍｍ〜８ｍｍである。
【００３０】
図８は、環境温度の変化によるレンズ群１１０の焦点距離の変化を説明するための図である。なお、説明の便宜のため、環境温度変化の前後の焦点位置をそれぞれレンズ群１１０の像側面から撮像素子１６０へ至る実線と二点鎖線で示している。使用環境の温度範囲が−２０℃〜＋６０℃である場合、一般的な樹脂レンズにより構成されたレンズ群１１０の焦点距離の変化量（Δｆ）は、０．０１９ｍｍ〜０．０３２ｍｍ程度である。したがって、レンズ群１１０と撮像素子１６０との間の距離はかかる変化量（Δｆ）に対応させて補正する必要がある。
【００３１】
そこで、レンズ群１１０の焦点距離の変化に合わせて、レンズ群１１０と撮像素子１６０との距離を精度よく補正するためには、次の条件式（１）を満足することが好ましい。
（α２−α１）×ΔＴ×Ｌ＝Δｆ    （１）
ただし、α１はレンズユニット１２０を形成する材質の線膨張係数、α２は撮像素子保持枠１３０を形成する材質の線膨張係数、ΔＴは環境温度の変化量、Ｌは撮像素子保持枠１３０の延設部１３１における光軸１１１に平行な方向の長さ、Δｆは環境温度の変化量ΔＴにおけるレンズ群１１０の焦点距離の変化量を示す。
【００３２】
たとえば、線膨張係数（α１）が１０×１０-6である材質でレンズユニット１２０を形成し、線膨張係数（α２）が６０×１０-6である材質で撮像素子保持枠１３０を形成し、レンズユニット１２０の延設部１３１の長さ（Ｌ）が６．５ｍｍである場合を考えてみる。そして、使用環境の温度が−２０℃から＋６０℃に変化した（ΔＴ＝８０）とき、レンズ群１１０の焦点距離の変化量Δｆ（ｍｍ）は、
Δｆ＝（６０×１０-6−１０×１０-6）×８０×６．５＝０．０２６
となる。
【００３３】
以上説明したように、この実施の形態にかかるレンズ鏡筒１００は、環境温度の変化に応じて伸縮する材質でレンズ群１１０を収容するレンズユニット１２０と撮像素子１６０を保持する撮像素子保持枠１３０を形成し、しかもレンズユニット１２０の材質の線膨張係数よりも撮像素子保持枠１３０の材質の線膨張係数が大きくなるようにした。さらに、レンズユニット１２０および撮像素子保持枠１３０の光軸１１１に平行な方向の伸縮を互いに阻害しないように、撮像素子保持枠１３０をレンズユニット１２０に取り付けた。
【００３４】
この結果、環境温度の変化を起因としてレンズ群１１０の屈折率が変化し焦点距離に変動が生じると、レンズ群１１０を保持するレンズユニット１２０に対して撮像素子１６０を保持する撮像素子保持枠１３０を大きく伸縮することとなり、レンズ群１１０と撮像素子１６０との距離をレンズ群１１０の焦点距離の変化に合わせることができ、画像の劣化を回避することができる。とりわけ、上記条件式（１）を満足することにより、さらに精度よくレンズ群１１０と撮像素子１６０との距離をレンズ群１１０の焦点距離の変化に合わせることができる。
【００３５】
また、この実施の形態に示したように、レンズユニット１２０と撮像素子保持枠１３０とを連結する機構をレンズ鏡筒１００の外周部に設けたことにより、レンズユニット１２０の外形が小さい場合や、レンズ群１１０と撮像素子１６０との間隔が狭い場合でも、レンズユニット１２０や撮像素子保持枠１３０の伸縮を阻害しない構成を実現できる。さらに、この実施の形態に示した例では、レンズユニット１２０内にフィルタ類やカバーガラスなどを含んでいないが、レンズユニット１２０内にフィルタ類やカバーガラスを備える必要がある場合は、延設部１３１の光軸１１１に対して平行な方向の寸法を調整すればよい。また、延設部１３１の光軸１１１に対して平行な方向の寸法を調整することにより、異なる厚さの撮像素子１６０を使用することも可能になる。さらに、この実施の形態に示したレンズ鏡筒１００を撮像装置に搭載することにより、温度変化が大きい環境下においても使用可能な撮像装置が実現できる。
【産業上の利用可能性】
【００３６】
以上のように、この発明にかかるレンズ鏡筒は、環境温度の変化を起因とする樹脂レンズの焦点距離の変化による画像劣化の回避に優れ、特に、温度変化が大きい環境下で使用される撮像装置に適している。
【符号の説明】
【００３７】
１００  レンズ鏡筒
１１０  レンズ群
１１１  光軸
１２０  レンズユニット
１２０ａ  取付基準面
１２１  レンズ枠
１２３  ボス部
１２３ａ，１３１ａ  雌ねじ
１２４  凸部
１２４ａ  開口部
１３０  撮像素子保持枠
１３１  延設部
１３２  取付固定子
１３３  フランジ
１３３ａ  突起部
１４０  皿ばね（付勢部材）
１５０  ねじ部材
１６０  撮像素子
１７０  基板
１７０ａ  ねじ穴
【図１】
2012118404.tif 000003
【図２】
2012118404.tif 000004
【図３−１】
2012118404.tif 000005
【図３−２】
2012118404.tif 000006
【図４】
2012118404.tif 000007
【図５】
2012118404.tif 000008
【図６】
2012118404.tif 000009
【図７】
2012118404.tif 000010
【図８】
2012118404.tif 000011